(57)【特許請求の範囲】
【請求項１】
外乱情報を取得する外乱情報取得手段と、
前記外乱情報取得手段により取得された外乱情報に基づいて使用者の睡眠深度を制御する制御手段と、を備え、
前記制御手段は、外乱を受ける前に使用者の睡眠深度を深くする睡眠制御装置。
【請求項２】
外乱情報を収集する情報管理センタと通信する通信手段を備え、
前記制御手段は、前記通信手段で受信した前記情報管理センタで収集された外乱情報に基づいて使用者の睡眠深度を制御する、請求項１に記載の睡眠制御装置。
【請求項３】
睡眠制御装置を備えた移動体であって、
前記睡眠制御装置は、請求項１又は２に記載された睡眠制御装置であり、
前記制御手段は、前記外乱情報に基づいて前記移動体の使用者の睡眠深度を制御する移動体。
【発明の詳細な説明】
【技術分野】
【０００１】
本発明は、睡眠深度を制御する睡眠制御装置および移動体に関する。
【背景技術】
【０００２】
従来から、覚醒度が低下した場合に自然な睡眠リズムを使用した睡眠へと使用者を誘導して、使用者の疲労回復等を行う睡眠制御装置が知られている。特許文献１には、使用者が深い眠りに陥らないように浅い眠りを維持させ、眠気度に応じて睡眠制御の睡眠維持時間を設定し、設定された時間が経過した後に使用者を覚醒させることにより、使用者の眠気度に応じた適切な睡眠をサポートする睡眠制御装置が開示されている。
【先行技術文献】
【特許文献】
【０００３】
【特許文献１】特開２００９−２１３７０７号公報
【特許文献２】特開２０１１−１１０２６１号公報
【特許文献３】特開２０１１−０９２５３６号公報
【特許文献４】特開２０１１−０８３４７４号公報
【発明の概要】
【発明が解決しようとする課題】
【０００４】
ところで、上記のような睡眠制御装置が車両に搭載されているような場合は、睡眠制御を行っていても、当該車両が例えば急カーブや走行路上の凹凸を通るときに振動や騒音等の外乱が発生すると、この外乱により使用者が睡眠維持時間の経過前に覚醒してしまうという課題がある。
【０００５】
そこで、本発明は、外乱が発生した場合でも覚醒させることなく、適切に睡眠深度を制御することが可能な睡眠制御装置及び移動体を提供することを課題とする。
【課題を解決するための手段】
【０００６】
本発明に係る睡眠制御装置は、外乱情報を取得する外乱情報取得手段と、外乱情報取得手段により取得された外乱情報に基づいて使用者の睡眠深度を制御する制御手段と、を備える。
【０００７】
本発明によれば、外乱情報に基づいて睡眠深度が制御される。従って、外乱が発生した場合でも覚醒させることなく、適切に睡眠深度を制御することができる。例えば、この睡眠制御装置が車両に搭載され、車両が急カーブや走行路上の凹凸等を通り外乱が発生しても、外乱情報に基づいて睡眠深度を事前に制御することが可能となるため、覚醒予定時間の経過前に睡眠制御装置の使用者が覚醒することを防止することができ、適切に睡眠深度を制御することが可能となる。
【０００８】
また、本発明に係る睡眠制御装置において、制御手段は、外乱を受ける前に使用者の睡眠深度を深くすることが好ましい。この発明によれば、外乱情報に基づいて睡眠深度を事前に深めることが可能となるため、覚醒予定時間の経過前に睡眠制御装置の使用者が覚醒することを防止することができ、適切に睡眠深度を制御することが可能となる。
【０００９】
また、本発明に係る睡眠制御装置において、外乱情報を収集する情報管理センタと通信する通信手段を備え、制御手段は、通信手段で受信した情報管理センタで収集された外乱情報に基づいて使用者の睡眠深度を制御することが好ましい。この発明によれば、睡眠制御を行うにあたりセンタに収集された外乱情報を利用することが可能となるため、より信頼性が高い外乱情報を用いてより適切に睡眠深度を制御することができる。
【００１０】
また、本発明に係る移動体は、睡眠制御装置を備えた移動体であって、この睡眠制御装置は、本発明に係る睡眠制御装置であり、制御手段は、外乱情報に基づいて移動体の使用者の睡眠深度を制御する。この発明によれば、外乱発生時に移動体の使用者の睡眠深度を深めることにより、覚醒予定時間の経過前に移動体の使用者が覚醒することを防止することが可能となり、当該使用者の睡眠深度を適切に制御することができる。
【発明の効果】
【００１１】
本発明によれば、外乱が発生した場合でも覚醒させることなく、適切に睡眠深度を制御することができる。
【図面の簡単な説明】
【００１２】
【図１】本発明の第１実施形態に係る睡眠制御装置の概略構成図である。
【図２】図１の睡眠制御装置の睡眠制御処理を示すフローチャートである。
【図３】図１の睡眠制御装置の作用を説明するための図である。
【図４】本発明の第２実施形態に係る睡眠制御装置の概略構成図である。
【図５】図４の睡眠制御装置の作用を説明するための図である。
【発明を実施するための形態】
【００１３】
以下、本発明の第１実施形態について図面を用いて詳細に説明する。なお、同一要素又は同一相当要素には同一符号を用い、重複する説明は省略する。
【００１４】
図１は、本発明の第１実施形態に係る睡眠制御装置１の構成を示す図である。図１に示す睡眠制御装置１は、自動車等の車両１００に装備されている。この車両１００は移動体として機能する。睡眠制御装置１は、車両１００の使用者（同乗者）が眠気を感じた際、使用者の睡眠深度を制御して快適な睡眠をサポートする装置である。睡眠制御装置１は、ＥＣＵ（Electronic  Control  Unit）２と、生理情報検出部３と、外乱情報取得部４と、刺激付与装置５とを備えて構成されている。
【００１５】
生理情報検出部３は、使用者の生理情報を検出する。生理情報検出部３は、ＥＣＵ２に接続されている。生理情報検出部３は、使用者のまばたきの回数や心拍数等といった生理情報を検出する。生理情報検出部３としては、例えばまばたきの回数を計測するための画像センサと画像処理部とからなる検出装置が挙げられる。この画像センサは、例えば車両１００のフロントパネル等に取り付けられて使用者の顔を撮像する。画像処理部は、画像センサで撮像された複数の使用者の顔データを画像処理して一定の時間におけるまばたきの回数を計測する。
【００１６】
また、別の生理情報検出部３としては、例えば心拍数を計測するための心拍数計測センサがある。心拍数計測センサは、例えば座席シートの背もたれ部に内蔵されて使用者の心拍数を計測する。このような生理情報検出部３は、車両１００のエンジンが始動されると、各種の生理情報の検出を開始する。生理情報検出部３は、検出した各種の生理情報をＥＣＵ２に出力する。
【００１７】
外乱情報取得部４は、外乱情報を取得する外乱情報取得手段として機能する。外乱情報取得部４は、ＥＣＵ２に接続されている。外乱情報取得部４としては、例えばカーブ検出部、段差検出部、あるいは音検出部が挙げられる。
【００１８】
上記のカーブ検出部としては、例えば車両１００に搭載されるカーナビゲーション装置が挙げられる。カーナビゲーション装置は、地図データベースを備えており、地図データベースにはカーブ情報が含まれた地図情報が格納されている。カーブ情報としては、少なくともカーブの位置、カーブ半径、進行方向の道路勾配、制限車速、道路種別、クリッピングポイント等の情報がある。カーナビゲーション装置は、車両１００の現在位置情報とともにそれらのカーブ情報を含むナビ情報信号をＥＣＵ２に送信する。
【００１９】
段差検出部としては、例えばＣＣＤカメラおよび画像処理装置が挙げられる。ＣＣＤカメラは、例えば車両１００前方に取り付けられ、車両１００前方を撮像する。ＣＣＤカメラでは、車両１００前方を撮像した撮像画像を画像信号として画像処理装置に送信する。画像処理装置は、受信した画像信号に基づいて段差の形状や大きさ等を認識する。段差検出部は、このように車両１００の前方等に位置する段差の形状や大きさ等を認識して、認識した段差の段差情報をＥＣＵ２に送信する。
【００２０】
音検出部としては、例えばマイク等の集音器が挙げられる。集音器は、車両１００の外部の騒音等を集音する。そして、集音器は、集音した音を電気信号に変換し、音情報としてＥＣＵ２に送信する。
【００２１】
外乱情報取得部４は、上記の他にも、ＶＩＣＳ（登録商標）によって工事情報等を外乱情報として取得したり、インターネットのツイッター等によってイベント情報等を外乱情報として取得したり、気象情報を外乱情報として取得してもよい。
【００２２】
刺激付与装置５は、使用者に対して物理的な刺激を付与する装置である。刺激付与装置５は、ＥＣＵ２に接続されている。刺激付与装置５としては、例えば音による聴覚刺激を付与するスピーカが挙げられる。スピーカは、例えば座席のヘッドレスト部等に内蔵されている。また、別の刺激付与装置５としては、例えば光による視覚刺激を付与する発光装置が挙げられる。発光装置は、例えばフロントパネル等に取り付けられている。
【００２３】
ＥＣＵ２は、睡眠制御装置１全体を統括制御する制御手段である。ＥＣＵ２は、使用者の現在の眠気度を検出する眠気度検出部２１と、使用者の睡眠深度（以下「現睡眠深度」という）を判定する睡眠深度判定部２２と、複数の睡眠パターンを格納する睡眠パターン格納部２３と、睡眠パターンを選択する睡眠パターン選択部２４と、睡眠パターンの経過時間を測定する睡眠時間測定部２５と、経過時間における目標睡眠深度を取得するとともに外乱情報に基づいて目標睡眠深度を補正する目標睡眠深度設定部２６と、眠気度に応じた睡眠パターンにおける睡眠深度と現睡眠深度とを比較する睡眠深度比較部２７と、刺激を車両１００の使用者に付与する付与刺激制御部２８と、を備えている。
【００２４】
眠気度検出部２１は、生理情報検出部３によって検出された各種の生理情報に基づいて、車両１００の使用者の眠気度を検出する。眠気度検出部２１は、生理情報検出部３によって検出された生理情報であるまばたき回数や心拍数に応じて眠気度を検出する。眠気度としては、例えば睡眠の軽重に応じて軽度から重度に向かって１〜６の６つのレベルに分類される。具体的には、眠気度１〜２を極軽度、眠気度３〜５を軽度、眠気度６を疲労回復が必要とされる重度の眠気と定義することができる。
【００２５】
睡眠深度判定部２２は、使用者の現睡眠深度を判定する。睡眠深度判定部２２は、例えば生理情報検出部３で検出された心拍数に基づいて、使用者の現睡眠深度を判定する。
【００２６】
睡眠パターン格納部２３は、例えば眠気度に応じた複数の睡眠パターンＰ１〜Ｐ４を格納する。睡眠パターンＰ１〜Ｐ４は、軽度の眠気である眠気度３〜５のそれぞれに対応する睡眠パターンＰ１〜Ｐ３と、重度の眠気である眠気度６に対応する睡眠パターンＰ４とに分類される。睡眠パターンＰ１〜Ｐ３は、睡眠深度を寝息が立つ程度の浅い眠りである睡眠深度２に一定時間維持させる睡眠パターンである。具体的には、睡眠パターンＰ１は、眠気度３に対応する睡眠パターンであり、睡眠深度２に維持される時間が例えば５分程度となっている。睡眠パターンＰ２は、眠気度４に対応する睡眠パターンであり、睡眠深度２に維持される時間が例えば１０分程度となっている。睡眠パターンＰ３は、眠気度５に対応する睡眠パターンであり、睡眠深度２に維持される時間が例えば３０分程度となっている。一方、睡眠パターンＰ４は、自然な睡眠リズムを利用した睡眠パターンである。なお、睡眠深度としては、本実施形態では睡眠深度１〜４とし、睡眠深度１から睡眠深度４と数字が増えるに従って深い深度となる。
【００２７】
上記のように、睡眠パターンＰ１では５分程度、睡眠パターンＰ２では１０分程度、睡眠パターンＰ３では３０分程度の睡眠を維持させる時間が設定されている。以下では、この時間を覚醒予定時間Ｔとする。なお、この覚醒予定時間Ｔは、上記のように睡眠パターンごとに設定されているものでもよいし、あるいは車両１００が目的地への到着予定時間又は使用者が任意で設定した時間としてもよく、要は、使用者が覚醒したい時間であればよい。
【００２８】
睡眠パターン選択部２４は、睡眠パターン格納部２３に格納されている睡眠パターンＰ１〜Ｐ４の中から、眠気度検出部２１で検出された眠気度に対応した１つの睡眠パターンを選択する。睡眠パターン選択部２４で選択された睡眠パターンについての情報は、睡眠時間測定部２５や目標睡眠深度設定部２６に出力される。
【００２９】
睡眠時間測定部２５は、睡眠パターン選択部２４で選択された睡眠パターンの開始からの経過時間である睡眠時間を計測する。睡眠時間測定部２５は、計測した睡眠時間を目標睡眠深度設定部２６に出力する。
【００３０】
目標睡眠深度設定部２６は、睡眠パターン選択部２４から入力された睡眠パターンから睡眠時間測定部２５で測定された睡眠時間における目標睡眠深度を取得する。そして、目標睡眠深度設定部２６は、外乱情報に基づいて取得した目標睡眠深度を補正する。具体的には、目標睡眠深度設定部２６は、外乱情報取得部４により車両１００の周囲にカーブ、段差および雑音源等のいずれかが存在することが検出されたときには、取得した目標睡眠深度を深くする目標睡眠深度に補正する。深くする睡眠深度は、例えば１段階や２段階とすることができる。深くする睡眠深度の段階数は、外乱の度合いが大きいほど大きくするとよい。
【００３１】
睡眠深度比較部２７は、目標睡眠深度設定部２６で設定（補正）された目標睡眠深度と、現睡眠深度とを比較して、その差についての比較信号を付与刺激制御部２８に出力する。
【００３２】
付与刺激制御部２８は、睡眠深度比較部２７からの比較信号に応じて、覚醒刺激、維持刺激および誘眠刺激のいずれかを使用者に付与するように刺激付与装置５を制御するために、刺激付与装置５に覚醒刺激付与信号、維持刺激付与信号または誘眠刺激付与信号を出力する。
【００３３】
次に、第１実施形態に係る睡眠制御装置１の動作の例について、図２を参照しながら説明する。以下に示す一連の処理は、ＥＣＵ２によって所定時間毎に繰り返し実行される。
【００３４】
まず、ステップＳ１０（以下、「Ｓ１０」という。他のステップにおいても同様とする。）にて、睡眠パターンＰ１〜Ｐ３のうち、眠気度検出部２１で検出された眠気度に対応した１つの睡眠パターンを睡眠パターン選択部２４で選択する。
【００３５】
Ｓ１０で睡眠パターンが設定されると、一定時間毎に、睡眠時間測定部２５によって経過時間に相当する現睡眠時間ｎｔが測定される（Ｓ１２）。続いて、生理情報検出部３によって生理計測が行われる（Ｓ１４）。そして、生理情報検出部３からの心拍数等の生理情報に基づいて、使用者の現睡眠深度ＳＬが判定される（Ｓ１６）。
【００３６】
Ｓ１６において、使用者の現睡眠深度ＳＬが判定された後、目標睡眠深度設定部２６によって、選択された睡眠パターンの現睡眠時間ｎｔ時の目標睡眠深度ＳＬ１を取得する（Ｓ１８）。そして、外乱情報取得部４によってカーブ、段差あるいは騒音等の外乱検出を行い、外乱が検出された場合に外乱情報を取得する（Ｓ２０）。
【００３７】
Ｓ２０において、外乱情報が取得された場合、目標睡眠深度設定部２６によって当該外乱情報を考慮した目標睡眠深度ＳＬ１に補正される（Ｓ２２）。ここで、外乱情報取得部４によって、車両１００の周囲にカーブ、段差または騒音源等の外乱があることが検出された場合には目標睡眠深度ＳＬ１はより深い値に補正される。
【００３８】
そして、Ｓ２２の処理を終えた後には、睡眠深度比較部２７によって現睡眠深度ＳＬと目標睡眠深度ＳＬ１との比較が行われ（Ｓ２４）、ＳＬ１＜ＳＬの場合、すなわち目標睡眠深度ＳＬ１が現睡眠深度ＳＬより浅い場合、使用者がより深い眠りについているため付与刺激制御部２８が刺激付与装置５を制御して使用者に覚醒刺激が付与される（Ｓ２６）。このような覚醒刺激としては、発光装置によるフラッシュ光といった視覚的な刺激や、感覚閾値を超えた音圧（例えば白色雑音で６０〜８０ｄＢ程度）での音楽再生といった聴覚的な刺激、あるいは座席を起き上がらせるといったような刺激等から適宜選択される。
【００３９】
また、Ｓ２４における比較の結果、ＳＬ１＝ＳＬの場合には目標睡眠深度ＳＬ１と現睡眠深度ＳＬとが一致しているため、付与刺激制御部２８が刺激付与装置５を制御して使用者に維持刺激が付与される（Ｓ２８）。このような維持刺激としては、微弱な光や微弱な振動の連続付与や、所定の音圧レベル（例えばピンクノイズで５５ｄＢ程度）の音声を３０秒周期で時間Δｔだけ繰り返し再生する聴覚的な刺激等から適宜選択される。
【００４０】
また、Ｓ２４における比較の結果、ＳＬ１＞ＳＬの場合、すなわち目標睡眠深度ＳＬ１が現睡眠深度ＳＬより深い場合、使用者の眠りが浅いため付与刺激制御部２８が刺激付与装置５を制御して使用者に誘眠刺激が付与される（Ｓ３０）。このような誘眠刺激としては、睡眠に適した室温調整といった知覚的な刺激や、マッサージによる触覚的な刺激や、睡眠に適した音楽再生といった聴覚的な刺激等から適宜選択される。特に、Ｓ２２で目標睡眠深度ＳＬ１が深い睡眠深度に補正されている場合、通常よりも強い誘眠刺激が付与され、これによって、車両１００が外乱が発生する地点に到達したときに、使用者が睡眠パターンの睡眠深度よりも深い睡眠深度になっている可能性が高い。
【００４１】
以上のＳ２６，Ｓ２８またはＳ３０の処理を終えた後には、Ｓ３２に進み、現睡眠時間ｎｔと覚醒予定時間Ｔとを比較する。比較の結果、現睡眠時間ｎｔが覚醒予定時間Ｔより小さい場合、Ｓ１２に戻り、使用者の睡眠深度の維持制御を繰り返す。一方、Ｓ３２における比較の結果、現睡眠時間ｎｔが覚醒予定時間Ｔ以上になった場合、使用者に対してＳ２６における覚醒刺激より強い覚醒刺激を使用者に付与して使用者を覚醒させる（Ｓ３４）。これにより、睡眠制御装置１による睡眠制御は終了する。
【００４２】
ところで、例えば図３（ａ）に示すような、途中に工事中の箇所やガタガタの箇所を有する目的地までの経路がある場合、従来であれば図３（ｂ）に示すように工事中の箇所やガタガタの箇所を通るときに、この工事やガタガタが外乱となって使用者の睡眠深度が浅くなってしまい、覚醒予定時間Ｔが経過する前に使用者が覚醒してしまうという問題があった。
【００４３】
しかしながら、第１実施形態に係る睡眠制御装置１によれば、外乱情報に基づいて睡眠深度を変えるように制御する。よって、車両１００が工事中の箇所やガタガタの箇所を通る場合であっても、図３（ｃ）に示すように工事やガタガタに差し掛かる前に使用者の睡眠深度を深くするように制御するため、覚醒予定時間Ｔが経過する前に使用者が覚醒することはなく、上記の問題を解消することができる。また、急カーブや騒音等の他の外乱についても同様である。
【００４４】
次に、第２実施形態に係る睡眠制御装置５１について説明する。第２実施形態の睡眠制御装置５１は、図４に示すようにＥＣＵ２が通信機６を介して情報管理センタ３０と情報の送受信が可能となっている点で第１実施形態の睡眠制御装置１と異なる。通信機６は、車両１００に設けられ、ＥＣＵ２と情報管理センタ３０との間で情報の送受信を行う通信手段である。第２実施形態において、車両１００は、外乱情報を取得した場合、その外乱情報を、外乱の発生位置、外乱度合い、外乱度合いと睡眠深度との関係についての情報とあわせて通信機６によって情報管理センタ３０に送信する。また、情報管理センタ３０は、多数の車両や多数の情報提供者から外乱情報を収集し、その外乱情報を解析して管理するセンタである。情報管理センタ３０は、外乱情報の記憶及び解析等を行うサーバ３１と、ＥＣＵ２との情報の送受信を行う通信部３２とを備えて構成されている。携帯電話５０は情報提供者が所持するものであって、情報提供者が携帯電話５０によってイベント、天候等の外乱情報を情報管理センタ３０に送信する。
【００４５】
サーバ３１は、外乱情報を記憶するデータベースである記憶部３１ａと、外乱情報を解析する外乱解析部３１ｂとを備えて構成されている。記憶部３１ａは、急カーブ、段差、騒音、ガタガタ道、工事、イベントや天候（雨、雷、暴風）等の外乱情報と、その外乱情報が存在する場所とを紐付けて記憶している。さらに、例えば使用者を起こしやすいものか否か等といった外乱度合いや、外乱度合いに対応する睡眠深度の変化等も紐付けて記憶する。なお、記憶部３１ａに記憶された外乱情報のうち、所定時間が経過した古い情報は消去されるようになっている。
【００４６】
外乱解析部３１ｂは、外乱情報を解析する情報処理機能を有する。具体的には、外乱解析部３１ｂは、外乱情報が、例えばどの程度の騒音又は振動か、あるいはどの程度の段差又はカーブが存在するか、といったような外乱度合いを解析する。また、外乱解析部３１ｂは、外乱度合いに対応する睡眠深度を解析し、外乱度合いに対して睡眠深度をどの程度深くするかの情報を取得する。外乱解析部３１ｂによって解析された情報は、記憶部３１ａに記憶されるようになっている。なお、上記の全ての情報を記憶部３１ａに格納するのではなく、例えば外乱解析部３１ｂにより外乱度合いが基準値以上であると解析された外乱情報のみ記憶部３１ａに格納させるようにしてもよい。
【００４７】
通信部３２は、外乱情報を収集する情報管理センタ３０と通信する通信手段として機能する。通信部３２は、睡眠制御装置５１を備えた車両１００、あるいは携帯電話５０と、情報の送受信を行う。また、通信部３２は、任意の車両１００から外乱情報を適宜受信してサーバ３１に送信する。また、通信部３２は、携帯電話５０からイベント、天候、工事情報等の外乱情報を受信してサーバ３１に送信する。また、通信部３２は、睡眠制御装置５１の通信機６と通信を行うことにより、情報管理センタ３０から車両１００に向けて走行中の経路に関する外乱情報を提供する機能を有しており、記憶部３１ａに格納されている外乱情報を通信機６を介してＥＣＵ２に送信する。
【００４８】
次に、第２実施形態に係る睡眠制御装置５１の動作の例について、図２を用いて第１実施形態と異なる点のみを説明する。第２実施形態は、Ｓ２０における外乱情報取得処理のみが第１実施形態と異なる。具体的には、Ｓ２０において、外乱情報取得部４によるカーブ検出、段差検出および音検出の各検出信号だけでなく、情報管理センタ３０から送信される記憶部３１ａに格納されている外乱情報を通信機６で受信することによって取得される。車両１００では、外乱情報取得部４によって外乱情報を取得する毎に、外乱の位置情報等も併せて情報管理センタ３０に通信機６によって送信する。なお、Ｓ２０において、記憶部３１ａに格納されている外乱情報のみが取得されるようにしてもよい。
【００４９】
以上、第２実施形態に係る睡眠制御装置５１によれば、例えば図５に示すように情報管理センタ３０から事前に工事やガタガタ等の外乱情報を取得できる。そのため、車両１００に外乱情報取得部４がなくても外乱情報を得ることができる。さらに、多数の車両等から収集された外乱情報と、外乱情報を解析した情報も併せて提供されるので、信頼度が高い外乱情報が得られる。
【００５０】
以上、第１及び第２実施形態では、睡眠制御装置１，５１を備えた車両１００であって、目標睡眠深度設定部２６が外乱情報に基づいて車両１００の利用者の睡眠深度を制御する。従って、外乱によって覚醒予定時間Ｔの経過前に車両１００の使用者が覚醒することを防止でき、当該使用者の睡眠深度を適切に制御することができる。
【００５１】
なお、上記の第１及び第２実施形態は本発明に係る睡眠制御装置及び移動体の実施形態を説明したものであり、本発明に係る睡眠制御装置及び移動体は本実施形態に記載されたものに限定されない。本発明に係る睡眠制御装置及び移動体は、各請求項に記載した要旨を変更しないように本実施形態に係る睡眠制御装置及び移動体を変形し、又は他のものに適用したものであってもよい。
【００５２】
例えば、第１及び第２実施形態では、例えば図２のＳ２０に示すように車両走行中に一定時間毎に外乱情報を取得する例について説明した。しかし、外乱情報を取得するタイミングはこれに限られず、例えば情報管理センタ３０と通信可能な場合、車両１００の発進時に予め取得してもよい。
【００５３】
また、本実施形態では、移動体を車両１００として、車両１００に搭乗する使用者の睡眠制御を行う例について説明した。しかし、移動体としては車両に限定されず、睡眠制御の対象も車両１００に搭乗する使用者に限定されない。例えば、移動体を航空機または船舶として、乱気流や大波等の外乱情報を取得し、取得した外乱情報に基づいて航空機または船舶の搭乗者の睡眠深度を制御するようにしてもよい。
【符号の説明】
【００５４】
１，５１…睡眠制御装置、２…ＥＣＵ、３…生理情報検出部、４…外乱情報取得部、５…刺激付与装置、２１…眠気度検出部、２２…睡眠深度判定部、２３…睡眠パターン格納部、２４…睡眠パターン選択部、２５…睡眠時間測定部、２６…目標睡眠深度補正部、２７…睡眠深度比較部、２８…付与刺激制御部、３０…情報管理センタ、３１…サーバ、３１ａ…記憶部、３１ｂ…外乱解析部、３２…通信部、１００…車両。
【図１】
0005741484.tif 000002
【図２】
0005741484.tif 000003
【図３】
0005741484.tif 000004
【図４】
0005741484.tif 000005
【図５】
0005741484.tif 000006